(57)【要約】      （修正有）【課題】バドミントン競技におけるショートサーブ練習を効果的に行うことができると共に、誰にでも容易に取扱え着脱作業が短時間で行えるバドミントン競技用練習具を提供する。【解決手段】筒状部材１にスリット２と目盛３を設け、支柱５及び支柱５間に張設されたネット８のネット上部ロープ７にそれぞれ取付けられた一組の筒状部材１間に、任意の高さで略水平に張り渡される紐状部材４の取付けによって、ネット白帯６の上辺と紐状部材４との間をショートサーブの目標スペースとし、レベルに応じた目標を設定し効果的な練習が行える。【選択図】図１
0003141447.tif 000002
【実用新案登録請求の範囲】
【請求項１】
バドミントン競技用支柱の上端部と該支柱間に張設されたバドミントン競技用ネット上部ロープに、それぞれ着脱自在に取付け可能な二本一組の筒状部材と、該筒状部材間においてネット上辺より高位置かつ略水平に張り渡される着脱自在な紐状部材からなり、該筒状部材の端部から長手方向にスリットを少なくとも一箇所と、該筒状部材外周面に該紐状部材の取付け目安となる目盛又はマークを設け、該紐状部材の両端は環状になっていることを特徴とするバドミントン競技用練習具。
【請求項２】
上記紐状部材において、上記環状部の少なくとも一方の素材をゴム等の伸縮素材とし、該伸縮素材からなる該環状部以外は、非伸縮素材からなる紐状部材であることを特徴とする請求項１に記載のバドミントン競技用練習具。
【考案の詳細な説明】
【技術分野】
【０００１】  本考案は、バドミントン競技用練習具に関するものである。
【背景技術】
【０００２】  バドミントン競技におけるショートサーブは、相手レシーバーから容易に攻め込まれないよう、打ち出しのタイミングやシャトルの軌道等はとても大切であり、特にシャトルが相手コートに入る際にネット上辺から高く浮かせないことが理想的であり、競技レベルの向上においてその習得は必須である。しかしながら、その習得に供する練習具はなく、一般的にネット上辺部分を狙いながら打つ練習が行われる。【０００３】  そのような中で、競技初心者がその練習を行う初期段階においては、シャトルがネット上辺から高く浮くことよりも、ネットを越え相手サービスコート内に入れることを優先し、個人差はあるものの、段階を踏まえながら次第に理想的なサーブを習得する。しかしながら、上記練習自体は大きな力、動作を必要としないため、集中力が切れた場合は単調で漫然と繰り返す練習に陥りやすい。特に小学生等の子供は大人に比べ集中力の持続が難しいこともあり効果的な練習になっていない場合がある。また、子供主体の練習においては、指導者等のサポート側の人数が少ないケースもあり、万遍なく効果的な指導を行うことは容易ではない。
【考案の開示】
【考案が解決しようとする課題】
【０００４】  本考案は上記問題に鑑みてなされたもので、子供達が限られた練習時間の中において、集中して効果的なショートサーブ練習が行えると共に、誰にでも容易に取扱えるバドミントン競技用練習具の提供を課題としている。
【課題を解決するための手段】
【０００５】  本考案は（請求項１）バドミントン競技用支柱上端部と、該支柱間に張設されたネット上部ロープに、着脱自在にそれぞれ取付け可能な二本一組の筒状部材と、該筒状部材間においてネット上辺より高位置かつ略水平に張り渡される着脱自在な紐状部材とからなる。かかる構成において、該筒状部材の該支柱との嵌合部分に、該筒状部材端部より該筒状部材長手方向にスリットを一箇所設ける。該筒状部材外周面に該紐状部材取付け目安とする目盛り又はマーク等を表示し、該目盛り又はマークは、シャトルが通過可能な高さに複数表示する。また、該紐状部材端部は環状とし、例えば該紐状部材をすべて伸縮素材で作製した場合は、該環状部を該筒状部材にそれぞれ掛けるだけで取付けられる。また、すべて非伸縮素材で作製した場合は必要によってコードストッパー等を用い該環状部のサイズを調節し取付けられる。【０００６】  本考案は（請求項２）上記紐状部材において、上記環状部の少なくとも一方をゴム等の伸縮素材とし、伸縮素材からなる環状部以外は非伸縮素材とする。かかる構成において、例えば、該紐状部材全体が、非伸縮素材からなる場合は、該環状部にコードストッパー等を用いた固定方法も可能であるが、シャトルやラケット等の接触によりコードストッパーが緩み、締め直す手間がかかる可能性があり、全体がゴム紐等の伸縮素材からなる場合は、該紐状部材全長が短く取付けも簡単であるが、取付けで伸びた状態から取外す際の不注意で、顔や体へ強く当たり怪我の危険がある。更に、使用時においてはシャトルの接触による揺れが収まりにくく練習の妨げとなる。【０００７】  以上のことから、上記環状部の少なくとも一方が伸縮素材からなり、他は非伸縮素材からなる上記紐状部材であれば、たとえば、非伸縮素材からなる該環状部を上記筒状部材の一方に掛け、伸縮素材からなる該環状部を引伸ばし該筒状部材他方に掛けることにより、容易に取付可能となる。よって、一連の作業は片手でも安全且つ容易に行えると共に、子供達が集中して効果的に練習が行える練習具を提供することができる。
【考案の効果】
【０００８】  本考案のバドミントン競技用練習具は、上記ネット上辺と上記紐状部材間のスペースを目標とし、シャトルを通過させるものであり、ゲーム感覚的な練習が子供達に興味を持たせ、集中力を高め持続させる効果が期待でき、指導者等においても明確な目標を与え指導できること、技術レベルの上達に合わせ、上記紐状部材の取付位置を段階的に下げていく練習ができ、競技者本人や第三者が技術レベルの客観的な把握ができることは非常に有効である。また、着脱作業に要する時間や手間の負担も非常に少なく誰にでも容易に取扱え、従来の練習時間の中でより効果的なショートサーブ練習が行える。
【考案を実施するための最良の形態】
【０００９】  上記筒状部材は、長さ３００ｍｍ〜３５０ｍｍ程度、外径４８ｍｍ程度の丸パイプ形状であり、該筒状部材端部より長手方向に幅４ｍｍ〜５ｍｍ程度、長さ６０ｍｍ〜８０ｍｍ程度のスリットを一箇所設け、上記ネット白帯側縁部に設けられた上記支柱への留め紐を開放した状態で、上記支柱に嵌め込むと同時に上記ネット上部ロープに対し該スリットを差し掛ける。また該筒状部材の該支柱への嵌合部内径は４４ｍｍ程度とし、嵌め込み易く且つ遊びが少ないようにする。該筒状部材外周面には、上記紐状部材取付け目安となる目盛り又はマーク等を表示し、該目盛り又はマークは、シャトルが通過可能な高さに複数表示する。上記の取付けが可能であれば形状やサイズは問わず、材質においても合成樹脂等で作製された軽量なものが好ましいが、軽量に作製可能で一定の耐久性があれば材質は問わない。【００１０】  上記紐状部材において、好ましくは、両端の環状部のうち一方にリングゴムやリング状ゴムバンド等の伸縮素材を用い、他の部分は天然繊維や化学繊維等からなる丸紐もしくは細い帯紐の非伸縮素材を用いる。伸縮素材からなる環状部に非伸縮素材からなる紐の片端部を結び付け、他端部は折り返し所定の位置に結ばれ環状部を作り、該紐状部材全長は、取付けられた該筒状部材間より短く設定される。以上のことからなる該紐状部材は、上記筒状部材に該環状部を通し掛けることにより、伸縮素材の作用によって任意の位置に取付けられ、高さの変更や取外し作業も容易に行える。なお、上述の取付けが可能であれば伸縮素材及び非伸縮素材の材質は問わない。
【実施例】
【００１１】  以下、本考案の実施例について図１〜図２を用いて説明する。図１は本考案の練習具を取付けた使用状態を示し、バドミントン競技用支柱５と、支柱５間に張設されたネット上部ロープ７に対し、二本一組の筒状部材１がそれぞれ嵌め込まれると共に、図２に示すスリット２がネット上部ロープ７に差し掛けられる。紐状部材４の環状部４ａにはリングゴム等を用い、４ａ以外の紐状部材４は非伸縮素材からなる丸紐等を用い、筒状部材１の任意の位置にそれぞれ掛けられ、ネット８の白帯６上辺との間にサーブ目標となるスペースを作る。目盛３は筒状部材外周面に設けられ、両コートサイドから認識可能に設けられている。目盛３最下部に表示したラインはシャトルが通過可能なおおよその最低位置を示し、各ライン間はシャトル１個分の間隔を示すものであり、その表示は、公式シャトル羽根先端の広がり幅をおおよその基準とする間隔に表示している。
【図面の簡単な説明】
【００１２】
【図１】本考案の実施例に係るバドミントン競技用練習具の使用状態を示す正面図である。
【図２】本考案の実施例に係る筒状部材を示す斜視図である。
【符号の説明】
【００１３】  １  筒状部材本体
２  スリット
３  目盛り
４  紐状部材
４ａ伸縮性環状部
５  支柱
６  ネット白帯
７  ネット上部ロープ
８  ネット本体
【図１】
0003141447.tif 000003
【図２】
0003141447.tif 000004